(57)【要約】【課題】結束バンド２を用いてワイヤハーネス等の長尺物を取付け部材４に保持するにあたり、取付け部材４の厚さに捉われずに保持できるようにする。【解決手段】ケーブル保持部は、一端に、取付け部材４の貫通孔４ａを貫通して孔周縁に抜け止め状に係止する係止部２ａが設けられた長尺状の結束バンド２を、取付け部材４に当接する保持部材３の当接面３ｂから第一貫通孔３ｊを抜止め状に貫通させてケーブル保持面３ｈに至らしめ、該ケーブル保持面３ｈでケーブル５を巻回したものをケーブル保持面３ｈから第二貫通孔３ｋを抜止め状に貫通させて後面部３ｅに至らしめることでケーブル５を取付け部材４に保持するように構成することで、取付け部材４の厚さが異なっていても保持できるようにする。【選択図】図３
2015200363.tif 000002
【特許請求の範囲】
【請求項１】
ケーブル等の長尺物を取付け部材に保持するための長尺物保持具であって、該長尺物保持部は、一端に、取付け部材に設けた貫通孔を貫通して該貫通した側の孔周縁に抜け止め状に係止する係止部が設けられた長尺状の結束バンドと、該取付け部材に当接する当接面、長尺物を保持する長尺物保持面、当接面から長尺物保持面に至る第一貫通孔、長尺物保持面から該長尺物保持面および当接面以外の他の面部に至る第二貫通孔が形成された保持部材とから構成され、係止部を貫通孔に係止した結束バンドを、当接面から第一貫通孔を貫通させて長尺物保持面に至らしめ、該長尺物保持面で長尺物を巻回したものを長尺物保持面から第二貫通孔を貫通させて他の面部に至らしめることで長尺物を取付け部材に保持するように構成したことを特徴とする長尺物保持具。
【請求項２】
結束バンドには複数の係止凸条が長さ方向に所定間隔を存して形成され、第一貫通孔には結束バンドが当接面側に移動するのを規制する第一規制片が形成され、第二貫通孔には結束バンドが長尺物保持面側に移動するのを規制する第二規制片が形成されていることを特徴とする請求項１記載の長尺物保持具。
【請求項３】
保持部材には、第二貫通孔を貫通して他の面部に至った結束バンドの余剰分を、該他の面部から更なる他の面部に貫通せしめるための第三貫通孔が形成されていることを特徴とする請求項１または２記載の長尺物保持具。
【請求項４】
第二貫通孔の出口部には、引き操作することで第二規制片の係止凸条への係止を解除するための解除片が設けられていることを特徴とする請求項１乃至３の何れか１記載の長尺物保持具。
【発明の詳細な説明】
【技術分野】
【０００１】
本発明は、ワイヤハーネスや電気配線、ケーブル等の長尺物を板材等の取付け部材に保持するための長尺物保持具の技術分野に関するものである。
【背景技術】
【０００２】
一般に、ワイヤハーネスや電気配線、ケーブル等の長尺物を無造作に放置したままにすることは好ましくなく、そこで長尺物を巻回した結束バンドの両端部を保持部材で保持し、該保持部材を床等の取付け部材にボルト固定するようにしたものが知られている（例えば特許文献1参照。）。しかしながらこのものは、取付け部材にナットを溶着し、このナットに保持部材をボルト固定するようにしているため、ナットの溶着作業が必要であるだけでなく、取付け部材が床である場合、ボルト−ナットが床面から突出して歩行等の邪魔になる、という問題がある。
そこで板材に穿設した貫通孔に板材表面から拘束部を貫通させ、該拘束部からＶ字形に突出した脚片を板材裏面に係止して拘束部の抜け止めをし、長尺物を巻回する拘束部と一体のフランジ部から突出した結束バンドを、フランジ部から突出していて貫通孔に弾性変形して嵌入する弾性片で挟持するようにして支持する構成にしてボルト−ナットを不要にできるようにした長尺物固定具が知られている（例えば特許文献２参照。）。
【先行技術文献】
【特許文献】
【０００３】
【特許文献１】実開平２−１４６２８９号公報
【特許文献２】特許第５００８９８２号公報
【発明の概要】
【発明が解決しようとする課題】
【０００４】
しかしながら、前記特許文献２のものは、脚片の板材裏面に係止する位置が決まっているため、板材の厚さが一定のものにしか対応できず、板材の厚さが異なっていた場合、この異なった厚さの板材に対応した脚片を有した固定具が必要になり、この結果、部品点数が多くなるだけでなく、長尺物固定具について、板材の厚さに対応させたものをいちいち選択して使用しなければならず、作業性に劣る、という問題があり、ここに本発明の解決すべき課題がある。
【課題を解決するための手段】
【０００５】
本発明は、上記の如き実情に鑑みこれらの課題を解決することを目的として創作されたものであって、請求項１の発明は、ケーブル等の長尺物を取付け部材に保持するための長尺物保持具であって、該長尺物保持部は、一端に、取付け部材に設けた貫通孔を貫通して該貫通した側の孔周縁に抜け止め状に係止する係止部が設けられた長尺状の結束バンドと、該取付け部材に当接する当接面、長尺物を保持する長尺物保持面、当接面から長尺物保持面に至る第一貫通孔、長尺物保持面から該長尺物保持面および当接面以外の他の面部に至る第二貫通孔が形成された保持部材とから構成され、係止部を貫通孔に係止した結束バンドを、当接面から第一貫通孔を貫通させて長尺物保持面に至らしめ、該長尺物保持面で長尺物を巻回したものを長尺物保持面から第二貫通孔を貫通させて他の面部に至らしめることで長尺物を取付け部材に保持するように構成したことを特徴とする長尺物保持具である。
請求項２の発明は、結束バンドには複数の係止凸条が長さ方向に所定間隔を存して形成され、第一貫通孔には結束バンドが当接面側に移動するのを規制する第一規制片が形成され、第二貫通孔には結束バンドが長尺物保持面側に移動するのを規制する第二規制片が形成されていることを特徴とする請求項１記載の長尺物保持具である。
請求項３の発明は、保持部材には、第二貫通孔を貫通して他の面部に至った結束バンドの余剰分を、該他の面部から更なる他の面部に貫通せしめるための第三貫通孔が形成されていることを特徴とする請求項１または２記載の長尺物保持具である。
請求項４の発明は、第二貫通孔の出口部には、引き操作することで第二規制片の係止凸条への係止を解除するための解除片が設けられていることを特徴とする請求項１乃至３の何れか１記載の長尺物保持具である。
【発明の効果】
【０００６】
請求項１の発明とすることにより、結束バンドは、一端に設けた係止部を、取付け部材に設けた貫通孔に貫通させて該貫通側の孔周縁に係止したものを用いて長尺物の保持部材側への保持ができるから、取付け部材の厚さが異なっていたとして、取付け部材に設けた貫通孔の孔長さの変化に対応した長尺物保持ができることになり、しかも結束バンドは、前記取付け部材に係止したものを第一貫通孔を貫通させて長尺物保持部に至ったもので長尺物を巻回し、該巻回した長尺物先端部を第二貫通孔を貫通させて他の面部に通すだけで長尺物保持ができることになり、この結果、取付け部材の厚さが異なったものに対応した長尺物保持が、厚さに対応した結束バンドを多数用意する必要なく簡単にできることになる。
請求項２の発明とすることにより、結束バンドの第一、第二貫通孔からの抜け規制ができることになって長尺物保持が確実となる。
請求項３の発明とすることにより、取付け部材の厚さ変化に対応すべく結束バンドを長いものにしたときの余剰分を第三貫通孔に通すことでより短いものにすることができることになって邪魔になることを低減できることになる。
請求項４の発明とすることにより、長尺物を交換する等のメンテナンスをする際のケーブルの保持解除と再保持を容易に行うことができる。
【図面の簡単な説明】
【０００７】
【図１】（Ａ）（Ｂ）は結束バンドの正面図、側面図である。
【図２】（Ａ）（Ｂ）（Ｃ）（Ｄ）（Ｅ）は保持部材の正面図、背面図、平面図、底面図、断面側面図である。
【図３】（Ａ）（Ｂ）（Ｃ）（Ｄ）はケーブル保持具を用いてケーブルを保持する手順を示した作用説明断面図である。
【図４】（Ａ）（Ｂ）はケーブルを保持した状態を示す一部切欠き背面図、第二規制片の係止凸条への係止を解除した状態を示す作用説明図である。
【発明を実施するための形態】
【０００８】
以下、本発明を実施するための形態について、図面に基づいて説明する。図面において、１はケーブル保持具（長尺物保持具）であって、該ケーブル保持具１は、長尺状の結束バンド（結束紐）２と、該結束バンド２の保持をする保持部材３とを備えて構成されている。因みに、保持するものとしては、ケーブルに限定されず、ワイヤハーネスや電気配線、配管、チューブ、ロッド等の各種の長尺物において実施することができる。
【０００９】
前記結束バンド２は、合成樹脂等の可撓性を有する素材で平板状に形成され、一端に錨形状の係止部２ａが形成され、他端２ｂは遊端となっている。結束バンド２の一側面２ｃには幅方向に長い係止凸条２ｄが長さ方向に所定間隔を存して設けられており、他側面２ｅは平面状になっている。そして結束バンド２は、係止部２ａを板材等の取付け部材４に穿設した貫通孔４ａに押し潰した状態で無理嵌め状に貫通させると係止部２ａが取付け部材４の裏面側で開いて自然状態になり、この状態で結束バンド２を取付け部材４の表面側に向けて引っ張ると、係止部２ａに形成の係止段部２ｆが貫通孔４ａの裏面孔周縁に係止することになって表面側への抜け止めがなされるようになっている。因みに本実施の形態では、結束バンド２は平板状としたが、これに限定されず、例えば四角柱形状であってもよく、また係止凸条２ｄは、結束バンド２が平板状であれば両側面に設けたものであってもよく、四角柱状であれば一面だけでなく、二面、三面、あるいは四面全てに設けたものであっても本発明を実施することができる。
【００１０】
一方、保持部材３は、塊状になった本体部３ａを備えて構成されるが、該本体部３ａには、取付け部材４の表面に当接する下端面である当接面３ｂと、上端面３ｃと、前後両端面３ｄ、３ｅと、左右両端面３ｆ、３ｇとが設けられるが、さらに前記上端面３ｃから前端面３ｄに至り、前端面３ｄ側ほど低くなる状態で円弧面（傾斜面）になっていて、後述するようにケーブル５を保持するためのケーブル保持面３ｈと、左右両端面３ｆ、３ｇから先端側ほど低くなるよう傾斜状に突出していて、当接面３ｂを取付け部材４に当接させた場合に、先端が取付け部材４の表面に弾性変形する状態で接当する一対の脚片３ｉとを有しているが、さらに当接面３ｂからケーブル保持面３ｈの前端側部位に貫通する第一貫通孔３ｊと、ケーブル保持面３ｈの後端側部位から後端面３ｅに貫通する第二貫通孔３ｋと、後端面３ｅの第二貫通孔３ｋよりも上側位置から上端面３ｃに貫通する第三貫通孔３ｐとが形成されている。
尚、第一、第二貫通孔３ｊ、３ｋの入り口は入り口端側ほど拡開していることで結束バンド２を差込みやすいように設定されている。
【００１１】
また第一貫通孔３ｊには、後述するように該貫通孔３ｊを貫通する結束バンド２の係止凸条２ｄに係止して結束バンド２の当接面３ｂ側への移動規制をする第一規制片３ｍが形成され、第二貫通孔３ｋには、該貫通孔３ｋを貫通する結束バンド２の係止凸条２ｄに係止して結束バンド２のケーブル保持面３ｈ側への移動規制をする第二規制片３ｎが形成されている。尚、第二規制片３ｎが形成される部位からは、解除突起３ｏが後端面３ｅから突出するように形成されており、この解除片３ｏを下押し操作（引っ張り操作）することで第二規制片３ｎの係止凸条２ｄに対する係止を解除できるようになっている。
【００１２】
そして前記取付け部材４に係止部２ａが貫通孔４ａに係止保持した結束バンド２は、後面３ｅ側を向く状態で第一貫通孔３ｊを当接面３ｂからケーブル保持面３ｈに向くようにして貫通させるが、このときケーブル保持面３ｈ側に貫通している部位の結束バンド２をよく引っ張って当接面３ｂが取付け部材４の表面４ｂに密着するようにした状態となるよう任意の係止凸条２ｄに第一規制片３ｍを係止する。
【００１３】
次いで、このケーブル保持面３ｈに貫通させた部位の結束バンド２で、係止凸条２ｄがケーブル５に当接するようにしてケーブル５に巻回し、この巻回した結束バンド２の先端部位を、第二貫通孔３ｋをケーブル保持面３ｈから後端面３ｅに向く状態で貫通させることになるが、このとき、後端面３ｅ側に貫通した結束バンド２をよく引っ張って結束バンド２のケーブル５巻回部位に緩みがないよう任意の係止凸条２ｄに第二規制片３ｎを係止する。ここまでの段階でケーブル５の取付け部材４への取付け保持作業は終了するが、第二貫通孔３ｋから後端面３ｅ側に突出した余剰分の結束バンド２が長い場合、さらに結束バンド２の余剰分を第三貫通孔３ｐに後端面３ｅ側から貫通させることで結束バンド２の余剰分が後端面３ｅから長く突出して邪魔になることがないよう配慮されている。
【００１４】
叙述の如く構成された本発明を実施するための形態において、結束バンド２は、一端に設けた係止部２ａを押し潰した状態で取付け部材４に設けた貫通孔４ａに無理嵌め状に貫通させると、係止部２ａが開いて自然状態となり、この状態で結束バンド２の取付け部材４の表側の部位を引っ張ると、係止部２ａが貫通孔４ａの貫通側孔周縁に抜止め係止したものとなり、この状態で結束バンド２を保持部材３の第一貫通孔３ｊに当接面３ｂ側から嵌入してケーブル保持面３ｈ側に引出す。このとき第一規制片３ｍが係止凸条２ｄに抜止め状に係止することになって結束バンド２が当接面３ｂ側に抜けてしまうことが回避される。
この状態で結束バンド２をケーブル５に巻回し、該巻回した結束バンド２を第二貫通孔３ｋに挿入してケーブル保持面３ｈから後端面３ｅ側に貫通させる。この貫通した結束バンド２をよく引っ張ることでケーブル５をよく緊締した状態となり、この状態での第二規制片３ｎの係止凸条２ｄへの係止がなされて抜け止めされる。
【００１５】
このように本発明が実施されたものにおいては、ケーブル保持具１を用いてケーブル５の保持が簡単にできるが、結束バンド２は、係止部２ａを取付け部材４の貫通孔を貫通させ、貫通裏面側で孔外周縁に係止するものになるから、取付け部材４の厚さが異なっていたとして、取付け部材４に設けた貫通孔４ａの孔長さの変化に対応したケーブル５の保持ができることになり、この結果、取付け部材４の厚さが異なったものに対応したケーブル５の保持が、厚さに対応した結束バンドを多数用意する必要なく簡単にできることになる。
【００１６】
しかもこの結束バンド２には複数の係止凸条２ｄが長さ方向に所定間隔を存して形成され、第一貫通孔３ｊには結束バンド２が当接面３ｂ側に抜け移動するのを規制する第一規制片３ｍが形成され、さらに第二貫通孔３ｋには結束バンド２がケーブル保持面３ｈ側に抜け移動するのを規制する第二規制片３ｎが形成されているから、結束バンド２の第一、第二貫通孔３ｊ、３ｋからの抜け規制ができることになってケーブル５の保持が確実となる。
【００１７】
そのうえこのものでは、保持部材３には、第二貫通孔３ｋを貫通して後端部３ｅに至った結束バンド２の余剰分を、該後端部３ｅから上端面３ｃに貫通せしめるための第三貫通孔３ｌが形成されている結果、取付け部材４の厚さ変化に対応すべく結束バンド２を長いものにしたとしても、その余剰分を該第三貫通孔３ｐに通すことではみ出し分がより短いものにでき邪魔になることを低減できることになる。
【００１８】
さらにこのものでは、解除片３ｏを下押し操作することで第二規制片３ｎの抜止め係止が解除されて結束バンド２を第二貫通孔３ｋから抜き出すことができるため、ケーブル５を交換する等のメンテナンスが容易になるという利点がある。
【産業上の利用可能性】
【００１９】
本発明は、ワイヤハーネスや電気配線、ケーブル等の長尺物を取付け部材に保持するための長尺物保持具の分野に利用することができる。
【符号の説明】
【００２０】
１    ケーブル保持具
２    結束バンド
２ａ  係止部
２ｄ  係止凸条
３    保持部材
３ｂ  当接面
３ｈ  ケーブル保持面
３ｊ  第一貫通孔
３ｋ  第二貫通孔
３ｐ  第三貫通孔
３ｍ  第一規制片
３ｎ  第二規制片
４    取付け部材
４ａ  貫通孔
５    ケーブル
【図１】
2015200363.tif 000003
【図２】
2015200363.tif 000004
【図３】
2015200363.tif 000005
【図４】
2015200363.tif 000006